(57)【特許請求の範囲】
【請求項１】
所定の解像度で画像を表示する表示手段を備える電子機器において、
上記所定の解像度より高い解像度の画像データを取り込む取込手段と、
上記取込手段により取り込まれた画像データに付加するための文字データの字体を加工する加工手段と、
上記取込手段により取り込まれた画像データと、上記加工手段により字体が加工された文字データとを合成する合成手段と、
上記所定の解像度よりも高い解像度で画像を表示する画像データを外部へ出力する出力手段と、
上記合成手段により合成された画像データを上記表示手段及び上記出力手段に出力する出力制御手段と、
上記出力制御手段により出力される出力先が、上記表示手段又は上記出力手段であるかを判定する判定手段とを備え、
上記加工手段は、上記判定手段により出力先が上記表示手段であると判定されたとき、上記判定手段により出力先が上記出力手段であると判定されたときに比べて、上記文字データの字体が太くなるように加工し、
上記出力制御手段は、上記判定手段により出力先が上記表示手段であると判定されたとき、上記合成手段により合成された画像データを縮小して上記所定の解像度となった画像データを、該表示手段に出力する電子機器。
【請求項２】
上記出力手段は、ＨＤ（High Definition）規格の解像度の画像データを外部へ出力する請求項１記載の電子機器。
【請求項３】
印刷対象となる画像データを印画紙に印刷する印刷処理手段を更に備え、
上記出力制御手段は、上記印刷対象となる画像データに対応する表示用画像データを上記表示手段及び上記出力手段に出力する請求項１記載の電子機器。
【請求項４】
所定の解像度で画像を表示する表示手段を備える電子機器の制御方法において、
上記所定の解像度より高い解像度の画像データを取り込む取込ステップと、
上記取込ステップにより取り込まれた画像データに付加するための文字データの字体を加工する加工ステップと、
上記取込ステップにより取り込まれた画像データと、上記加工ステップにより字体が加工された文字データとを合成する合成ステップと、
上記合成ステップにより合成された画像データを、上記表示手段に出力するか、又は、上記所定の解像度よりも高い解像度で画像を表示する画像データを外部へ出力する出力手段に出力する出力ステップを有し、
上記加工ステップでは、上記出力ステップにより出力される出力先が上記表示手段であるとき、出力先が上記出力手段であるときに比べて、上記文字データの字体が太くなるように加工し、
上記出力ステップでは、出力先が上記表示手段のとき、上記合成ステップにより合成された画像データを縮小して上記所定の解像度となった画像データを、該表示手段に出力する電子機器の制御方法。
【発明の詳細な説明】
【技術分野】
【０００１】
本発明は、所定の解像度で画像を表示する表示手段を備える電子機器、及びこの電子機器の制御方法に関するものである。
【背景技術】
【０００２】
従来の画像データを印刷するプリンタは、ユーザに印刷対象となる画像を選択させるため、例えば内臓モニタを用いて印刷対象となる画像をＱＶＧＡサイズで表示したり、外部の表示装置に出力して表示させるための出力端子を設けている（特許文献１）。
【０００３】
また、デジタルスチルカメラは、内蔵しているディスプレイに撮像した画像等を表示するだけでなく、外部の表示装置に出力して表示させるための出力端子を設けている。
【０００４】
ところで、ＨＤ（High Definition）規格に適応した解像度の映像を表示可能なデジタルテレビジョン受像機の普及により一般家庭などでもハイビジョン映像を楽しめるようになってきており、上述したプリンタやデジタルスチルカメラなどの表示手段を内蔵する電子機器では、印刷対象となる画像や撮像した画像をハイジョン画像で上述したデジタルテレビジョン受像機などに出力することによって、印刷対象となる画像や撮像した画像を細部にわたり確認する事が可能となり、特に印刷対象となる画像に対しては、印画後に細部の不具合に気づくことも少なくなるという利点を実現している。
【０００５】
【特許文献１】特開２００７―２７４２２５号公報
【発明の開示】
【発明が解決しようとする課題】
【０００６】
しかしながら、例えば、上述したプリンタやデジタルスチルカメラなどの電子機器をＧＵＩ（Graphic User Interface）により操作するための操作用画面は、通常、その電子機器に内蔵されている表示部の解像度に適合しているため、デジタルテレビジョン受像機でハイビジョン画像により表示されると、文字情報の字体が非常に太くなり見づらくなってしまうという問題がある。これに対して、操作用画面をハイビジョン画像の解像度に合わせると、プリンタやデジタルスチルカメラの電子機器に内蔵されている表示部でこの操作用画面を表示した場合、文字情報がかすれたような字体で表示されて見づらくなってしまうという問題がある。
【０００７】
本発明は、このような実情に鑑みて提案されたものであり、所定の解像度で画像を表示する表示手段を備える電子機器において、表示出力先の解像度に応じて文字情報を視覚的に見やすい字体で表示させる電子機器を提供することを目的とする。
【課題を解決するための手段】
【０００８】
上述した課題を解決するための手段として、本発明に係る電子機器は、所定の解像度で画像を表示する表示手段を備える電子機器において、所定の解像度より高い解像度の画像データを取り込む取込手段と、取込手段により取り込まれた画像データに付加するための文字データの字体を加工する加工手段と、取込手段により取り込まれた画像データと、加工手段により字体が加工された文字データとを合成する合成手段と、所定の解像度よりも高い解像度で画像を表示する画像データを外部へ出力する出力手段と、合成手段により合成された画像データを表示手段及び出力手段に出力する出力制御手段と、出力制御手段により出力される出力先が、上記表示手段又は上記出力手段であるかを判定する判定手段とを備え、加工手段は、判定手段により出力先が表示手段であると判定されたとき、判定手段により出力先が出力手段であると判定されたときに比べて、文字データの字体が太くなるように加工し、出力制御手段は、判定手段により出力先が表示手段であると判定されたとき、合成手段により合成された画像データを縮小して所定の解像度となった画像データを、表示手段に出力する。
【０００９】
また、本発明に係る電子機器の制御方法は、所定の解像度で画像を表示する表示手段を備える電子機器の制御方法において、所定の解像度より高い解像度の画像データを取り込む取込ステップと、取込ステップにより取り込まれた画像データに付加するための文字データの字体を加工する加工ステップと、取込ステップにより取り込まれた画像データと、加工ステップにより字体が加工された文字データとを合成する合成ステップと、合成ステップにより合成された画像データを、表示手段に出力するか、又は、所定の解像度よりも高い解像度で画像を表示する画像データを外部へ出力する出力手段に出力する出力ステップを有し、加工ステップでは、出力ステップにより出力される出力先が表示手段であるとき、出力先が出力手段であるときに比べて、文字データの字体が太くなるように加工し、出力ステップでは、出力先が表示手段のとき、合成ステップにより合成された画像データを縮小して所定の解像度となった画像データを、表示手段に出力する。
【発明の効果】
【００１０】
本発明は、文字データが合成された画像データの出力先が表示手段のとき、出力先が出力手段であるときに比べて、文字データの字体が太くなるように加工して、加工した文字データと画像データとを合成した画像データを縮小して所定の解像度となった画像データを表示手段に出力するので、表示出力先の解像度に応じて文字情報を視覚的に見やすい字体で表示させることができる。特に、本発明は、出力先の解像度に応じて画像データから画素を間引く縮小処理を施してから出力しても、文字が掠れるようなことがなく、ユーザにとって視覚的に見やすい画像表示となるように画像データを表示することができる。
【発明を実施するための最良の形態】
【００１１】
以下、本発明を実施するための最良の形態について、図面を参照しながら詳細に説明する。
【００１２】
本発明が適用された印刷装置は、印刷対象となる画像データに対応する表示用画像を表示する表示手段を備える印刷装置である。以下では、このような印刷装置の一例として、図１に示すような印刷装置１を用いて本発明を実施するための最良の形態について説明する。
【００１３】
すなわち、この印刷装置１は、装置本体１０の前面１０ａに印画紙が収納された印画紙トレイ２が装着される開口部１１が形成され、この前面１０ａ側より装置本体１０内へ印画紙の挿入、排出が行われる。また、この印刷装置１の上面１０ｂには、操作ボタン１２ａ、１２ｂ及び印刷対象となる画像等を表示するモニタ１３が設けられている。また、この印刷装置１には、外部インタフェースとして、前面１０ａに記録メディアが装着される記録メディア用スロット１４ａが、側面１０ｃに外部機器との間で通信を行う入出力端子１４ｂ、１４ｃとＨＤＭＩなどのＨＤ規格の映像信号を出力する映像出力端子１５とが設けられている。
【００１４】
次に、この印刷装置１が装置本体１０内部に備える構成について図２を参照して詳細に説明する。
【００１５】
すなわち、印刷装置１は、操作入力部１２と、モニタ１３と、外部Ｉ／Ｆ１４と、映像出力端子１５と、装置全体の動作を制御する制御部１６と、印刷対象となる画像データに対して画像処理を施す画像処理部１７と、画像データを記憶する画像記憶部１８と、文字データなどを記憶するデータ記憶部１９と、画像データに対応する表示用画像データの表示出力先を制御する出力制御部２０と、画像データの印刷を行う印刷処理部２１とを備える。
【００１６】
操作入力部１２は、上述した操作ボタン１２ａ、１２ｂから構成されており、印刷装置１を使用するユーザからの操作命令が入力され、入力された操作命令を制御部１６に供給する。
【００１７】
モニタ１３は、印刷対象となる画像データに対応する表示用画像データを表示する表示手段であって、例えば、映像出力端子１５が出力するＨＤ規格よりも低解像度の画サイズで、後述する出力制御部２０から出力される表示用画像データを表示する。また、モニタ１３は、印刷対象となる画像データに対応する表示用画像を表示する以外にも、この印刷装置１を操作するための操作用画面などをユーザに表示する。
【００１８】
外部Ｉ／Ｆ１４は、記録メディア用スロット１４ａ、入出力端子１４ｂ、１４ｃを総称した入出力処理ブロックであって、外部から画像データが入力され、入力された画像データを画像処理部１７に供給する。
【００１９】
映像出力端子１５は、モニタ１３と異なる解像度で画像を表示するための画像データを外部へ出力する出力手段の一例として、上述したようにＨＤＭＩなどのＨＤ規格の映像信号を出力する端子であり、後述する出力制御部２０から出力される表示用画像データを、ＨＤ規格の映像信号を表示可能な表示装置に出力する。
【００２０】
制御部１６は、印刷装置１全体の動作を制御する制御手段であって、上述した操作入力部１２から供給される操作命令に応じた動作を行うように各部を制御する。なお、制御部１６が行う具体的な制御処理内容については後述する。
【００２１】
画像処理部１７は、制御部１６から供給される制御命令に従って、例えば次のような動作を行う。
【００２２】
すなわち、画像処理部１７は、上述する外部Ｉ／Ｆ１４から供給される画像データを画像記憶部１８に記憶するための処理を行う。また、印刷用の画像データに対して表示用の画像データが比較的低解像度であるため、画像処理部１７は、画像記憶部１８から印刷対象の画像データを読み出して、読み出した画像データに対して画素を間引く等の縮小処理を施すことによって表示用のデータに変換して、出力制御部２０に供給する。また、画像処理部１７は、画像記憶部１８から読み出した画像データを印刷用画像データに変換して後述する印刷処理部２１に供給する。
【００２３】
画像記憶部１８は、上述したように画像処理部１７によって印刷対象となる画像データを記憶する。また、画像記憶部１８は、印刷対象となる画像データを記憶するとともに、各画像データに関連付けられている関連情報を、印刷対象となる画像データに対応付けて記憶する。
【００２４】
ここで、画像記憶部１８が記憶する関連情報とは、具体的に、その画像データが撮像されたときの撮像時刻を示す撮像時刻情報、ＧＰＳなどの位置情報取得手段によって取得された撮像位置を示す撮像位置情報である。また、これ以外にも、画像記憶部１８は、関連情報として、その画像データが撮像されたときのシャッタ速度、絞り値を示す情報を記憶するようにしてもよい。
【００２５】
データ記憶部１９は、上述したように文字データなどを記憶する記憶手段であって、例えば操作用画面に用いられる文字情報を記憶している。また、データ記憶部１９に記憶されているデータは、画像処理部１７によって読み出される。
【００２６】
出力制御部２０は、画像処理部１７から供給される表示用画像データを、モニタ１３及び映像出力端子１５に出力する出力制御手段である。具体的に、出力制御部２０は、モニタ１３及び映像出力端子１５のうち何れか一方を表示出力先とする。また、上述したようにモニタ１３で表示される画サイズが比較的小さいので、出力制御部２０は、モニタ１３が出力先であって、モニタ１３の表示出力解像度より高い解像度の表示用画像データを表示するときには、画像処理部１７から供給される画像データに対して画素を間引く等の縮小処理を施してからモニタ１３に出力する。
【００２７】
印刷処理部２１は、熱転写型の印刷手段であって、サーマルヘッド２１１と、プラテンローラ２１２とを備える。印刷処理部２１は、インクリボン３１を収納したインクリボンカートリッジ３が装着され、複数の発熱抵抗体が形成されたサーマルヘッド２１１とこのサーマルヘッド２１１と対向する位置に設けられたプラテンローラ２１２との間に、インクリボン３１と印画紙トレイ２から挿入される印画紙４とを走行させ、サーマルヘッド２１１により熱エネルギをインクリボン３１に印加することによってインクリボン３１の染料を印画紙４に熱転写して印刷する。
【００２８】
なお、本実施形態に係る印刷装置１は、上述した熱転写型の印刷処理を行うがこれに限定されるものではなく、インクジェット型などの他の印刷処理を行うものであってもよい。
【００２９】
以上のような構成からなる印刷装置１では、印刷装置１に内蔵されているモニタ１３、又は映像出力端子１５と接続されたディスプレイなどに印刷対象となる画像データに対応する表示用画像データを確認用として表示することができる。
【００３０】
印刷装置１は、上述したように画像記憶部１８に記憶されている画像データを単に印刷するだけでなく、画像処理部１７により画像データに対して多種多様の編集処理を施す機能を有している。
【００３１】
具体的に、編集処理を施した画像データを印刷する処理は、次のような動作によって実現される。
【００３２】
すなわち、印刷装置１では、多種多様の編集処理の中から任意の編集処理を選択するための操作用画面をモニタ１３等に表示する。そして、印刷装置１は、ユーザによって操作入力部１２が操作されることによって所望とする編集処理が選択される。所望とする編集処理が選択されると、印刷装置１では、画像処理部１７が画像記憶部１８から画像データを読み出して編集処理を施して、その編集処理を施した印刷用の画像データを印刷処理部２１に出力される。
【００３３】
このようにして、印刷装置１では、モニタ１３等に表示される操作用画面に応じてユーザが操作入力部１２を操作することによって所望とする編集処理を画像データに施すことができるが、編集処理の種類が多種多様になると、所望とする編集処理を行うまでの操作が煩雑になるため、結果として編集処理がユーザによって使われる機会が減少してしまう。
【００３４】
そこで、第１の実施形態に係る印刷装置１の制御処理では、図３に示すような「お勧め編集モード」を実行することによって、ユーザの利便性の向上を図る。
【００３５】
なお、図３に示す印刷処理の前段として、印刷装置１には、その画像記憶部１８に外部Ｉ／Ｆ１４から取り込んだ印刷対象となる複数の画像データと、各画像データの関連情報を記憶しているものとする。また、印刷装置１に内蔵されているモニタ１３又は映像出力端子１５と接続されているディスプレイには、印刷装置１を操作するための操作用画面が表示されているものとする。
【００３６】
ステップＳ１１において、制御部１６は、操作入力部１２による操作入力に基づいて、操作用画面内に表示されている「お勧め編集モード」が選択されたか否かを判断する。制御部１６は、「お勧め編集モード」が選択されるまでこの処理を繰り返し行い、「お勧め編集モード」が選択されるとステップＳ１２に進む。
【００３７】
ステップＳ１２において、制御部１６は、各画像データの関連情報に基づいて画像記憶部１８から画像データを選択して、ステップＳ１３に進む。具体的に、制御部１６は、画像記憶部１８に記憶されている画像データを、関連情報である撮像時刻情報に基づいて、例えば同日に撮像された画像データにグループ分けをして、任意の１つのグループを選択する。なお、制御部１６は、このグループ分けに係る処理として、例えば、同一の撮像位置で撮像された画像データにグループ分けするように、撮像位置情報に基づいて行うようにしてもよい。
【００３８】
ステップＳ１３において、制御部１６は、選択されたグループ内の画像データの関連情報に基づいて、このグループの撮像内容を例えば次のようにして分析してステップＳ１４に進む。
【００３９】
具体的に、制御部１６は、撮像位置情報から、グループ内の画像データの撮像内容が海岸、スキー場、ホテルなどの結婚式場で撮像されたものと分析する。また、制御部１６は、関連情報の撮像時刻情報から、グループ内の画像データの撮像内容が、クリスマスパーティ、お正月、雛祭り、七五三などの目的で撮像されたものと分析する。
【００４０】
ステップＳ１４において、制御部１６は、分析された撮像内容に相応しい編集処理を選択する。
【００４１】
ステップＳ１５において、制御部１６は、選択した編集処理をグループ内の画像データに施させるように画像処理部１７を制御して、ステップＳ１６に進む。具体的に、画像処理部１７は、次のような編集処理を施すこととなる。
【００４２】
第１の編集例として、撮像位置情報から結婚式で撮像されたものと分析されたグループの画像データに対して、画像処理部１７は、図４に示すように、編集画像データのフレーム４０の中央部に画像データ４１を配置するとともに、分析された撮像内容に相応しい処理として、フレーム４０の余白部に、予め画像記憶部１８等に記憶されている花柄をモチーフにした画像データ４２、４３を配置する編集処理を施す。
【００４３】
第２の編集例として、撮像位置情報から海岸であり撮像時刻情報から季節が夏であると分析されたグループの画像データに対して、画像処理部１７は、図５に示すように、分析された撮像内容に相応しい処理として、グループ内の画像データ５１、５２とをそれぞれフレーム５０の右斜め上部と左斜め下部に配置して、これらの画像データの余白部に、予め画像記憶部１８等に記憶されている貝殻や椰子をモチーフにした画像データ５３、５４を配置する編集処理を施す。
【００４４】
第３の編集例として、撮像位置情報からスキー場であり、撮像時刻情報から季節が冬であると分析されたグループの画像データに対して、画像処理部１７は、図６に示すように、分析された撮像内容に相応しい処理として、グループ内の画像データ６１、６２とをそれぞれフレーム６０の右斜め上部と左斜め下部に配置して、これらの画像データの余白部に、予め画像記憶部１８等に記憶されている雪だるまや雪の結晶をモチーフにした画像データ６３、６４を配置する編集処理を施す。
【００４５】
第４の編集例として、海外で撮像されたものと分析されたグループの画像データに対して、画像処理部１７は、図７に示すように、フレーム７０の左斜め上部に画像データ７１を配置するとともに、分析された撮像内容に相応しい処理として予め画像記憶部１８等に記憶されている航空機をモチーフにした画像データ７２とを配置する編集処理を施す。
【００４６】
ステップＳ１６において、制御部１６は、上述した図４〜図７に示すような画像処理部１７によって編集処理が施された編集画像データに対応する表示用画像データを逐次切り替えてモニタ１３等に表示する処理を行う。
【００４７】
ステップＳ１７において、制御部１６は、モニタ１３等に編集画像データに対応する表示用画像データが逐次切り替えて表示されている状態で、この表示画面を視認しているユーザによって印刷操作が行われたか否かを判断する。制御部１６は、印刷操作が行われたときステップＳ１８に進み、印刷操作が行われなかったときステップＳ１６に処理を戻る。
【００４８】
ステップＳ１８において、制御部１６は、ユーザによって印刷操作が行われた時にモニタ１３等に表示されている表示画像に対応する編集画像データを印刷するように、画像処理部１７と印刷処理部２１とを制御する。
【００４９】
そして、制御部１６は、編集画像データの印刷処理が終了すると、「お勧め印刷モード」を終了する。なお、制御部１６は、ステップＳ１８によって編集画像データの印刷処理を開始した後、ステップＳ１６に戻って編集画像データに対応する表示用画像データを逐次切り替えて表示する処理を行うようにしたり、ステップＳ１２に戻ってグループの選択処理まで戻って「お勧め印刷モード」の処理を行うようにしてもよい。
【００５０】
以上のような処理を行う印刷装置１では、ステップＳ１６により編集処理が施された画像データに対応する表示用画像データを逐次切り替えてモニタ１３等に表示させた状態で、操作入力部１２により入力されるユーザからの操作命令に応じて、表示画像に対応する編集画像データを印刷するように印刷処理部２１を制御するので、多種多様な編集処理の中から、関連情報に応じて適切な編集処理が施された画像データ（図４〜図７）を容易に印刷可能となりユーザの利便性の向上を実現することができる。
【００５１】
また、上述した「お勧め印刷モード」の処理工程の一部を図８に示すような処理に変更するようにしてもよい。
【００５２】
すなわち、制御部１６は、ステップＳ１７の判断処理で印刷操作が行われると、ステップＳ２１に進む。そして、ステップＳ２１において、制御部１６は、印刷対象となる画像データを印刷するかを確認する操作用画面をモニタ１３に表示して、ステップＳ２２に進む。
【００５３】
ステップＳ２２において、制御部１６は、前段の処理で表示された印刷確認用の画面を視認しているユーザによってさらに印刷操作が行われたか否かを判断する。ここで、制御部１６は、所定の時間以内にユーザによって印刷操作が行われるとステップＳ２３、Ｓ２４に進み、所定の時間以内にユーザによって印刷操作が行われないときステップＳ１６に戻る。
【００５４】
ステップＳ２３において、制御部１６は、ユーザによって印刷操作が行われた時にモニタ１３等に表示されている表示用画像データに対応する編集画像データを印刷するように、画像処理部１７と印刷処理部２１とを制御する。
【００５５】
ステップＳ２４において、制御部１６は、ステップＳ２３により印刷されている表示用画像データに対応する編集画像データに施されている編集処理を行うための取扱説明情報をモニタ１３等に表示する。
【００５６】
そして、制御部１６は、編集画像データの印刷処理が終了すると、「お勧め印刷モード」を終了する。
【００５７】
このようにして、印刷装置１では、ステップＳ２１において印刷確認用の操作画面を表示してから更にユーザによって操作入力が行われることによって編集画像データの印刷を開始するので、誤って操作入力部１２がユーザによって操作されて編集画像データの印刷処理を行ってしまうことを防止することができる。
【００５８】
また、印刷装置１では、ステップＳ２４において、印刷対象となった編集画像データに施されている編集処理をユーザが行うための取扱説明を表示することによって、「お勧め印刷モード」によって制御部１６によって自動的に選択された編集処理と同じ編集処理をユーザがマニュアル操作によって容易に行うことができる操作環境を提供することができる。
【００５９】
多種多様な編集処理の中から適切な処理内容をマニュアル操作により選択することはユーザにとって大変であるが、印刷装置１では、上述したように制御部１６が「お勧め印刷モード」を実行することによって、ユーザが煩雑な操作することなく、多種多様に用意されている編集処理が施された編集画像を印刷可能にモニタ１３等に表示するので、ユーザの利便性を向上させることができる。
【００６０】
上述したように、印刷装置１は、印刷対象となる画像データを、この印刷装置１が内蔵するモニタ１３に表示出力するだけではなく、例えば図９に示すように、映像出力端子１５に接続されたケーブル２００を介して、ＨＤ規格の画像を表示可能なディスプレイ１００に表示出力することができる。このようにして、印刷装置１では、ディスプレイ１００に印刷処理を行う前の印刷対象となる画像データを表示出力することによって、ユーザにとって、印刷する画像を前もって細部にわたり確認する事が可能となり、印刷後に細部の不具合に気づくことも少なくなるという利点を実現することができる。
【００６１】
ここで、上述した印刷装置１を操作するための操作用画面を、モニタ１３とディスプレイ１００と兼用した場合、２つの表示出力の解像度が大きく異なるため、モニタ１３に適合した操作用画面の画像データをディスプレイ１００に表示出力した場合、文字情報の字体が非常に太くなり、一方ディスプレイ１００に適合した操作用画面の画像データをモニタ１３の表示出力した場合、文字情報の字体が細いため掠れたようになるため、ユーザにとって視覚的に見にくくなってしまう。
【００６２】
そこで、印刷装置１では、このような表示出力先が違ってもユーザにとって視覚的に見やすい字体で文字情報を表示するため、画像処理部１７が次のような構成を備えている。
【００６３】
すなわち、画像処理部１７は、図１０に示すように、画像記憶部１８から画像を取り込む画像入力部１７１と、画像入力部１７１により取り込まれた画像データに付加するための文字データの字体を加工する文字出力加工部１７２と、画像データと加工された文字データとを合成して出力する合成処理部１７３と、出力制御部２０の表示先を判定する出力判定部１７４とを備える。
【００６４】
画像入力部１７１は、制御部１６からの制御命令に従って、画像記憶部１８から例えば印刷装置１を操作するための操作用画面を表示するための画像データを読み出して、文字出力加工部１７２及び合成処理部１７３に供給する。
【００６５】
文字出力加工部１７２は、画像入力部１７１により取り込まれた画像データに付加するための文字データをデータ記憶部１９から読み出して、読み出した文字データを、後述するように出力判定部１７４による判定結果に応じて字体を加工する。そして、文字出力加工部１７２は、加工処理を施した文字データを合成処理部１７３に供給する。
【００６６】
合成処理部１７３は、画像入力部１７１から供給された画像データと、文字出力加工部１７２によって加工した文字データとを合成する。そして、合成処理部１７３は、合成した画像データを出力制御部２０に出力する。
【００６７】
以上のような構成を有する画像処理部１７では、図１１に示すようなフローチャートに従って、表示先の表示手段の解像度に応じた加工処理を行う。
【００６８】
ステップＳ３１において、出力判定部１７４は、出力制御部２０又は制御部１６から供給される情報により、画像データの表示出力先がモニタ１３であるか、映像出力端子１５であるかを判定する。ここで、出力判定部１７４は、表示出力先がモニタ１３と判定したときステップＳ３２に進み、表示出力先がモニタ１３ではない、すなわち映像出力端子１５であると判定したときステップＳ３５に進む。
【００６９】
ステップＳ３２において、文字出力加工部１７２は、モニタ１３の表示用フォントデータによる加工処理を文字データに施して合成処理部１７３に出力する。
【００７０】
具体的に、モニタ１３の表示解像度が映像出力端子１５から出力される表示解像度よりも非常に低いので、文字出力加工部１７２は、出力先で表示される画像の解像度に応じた比較的太い字体のフォントデータを用いてデータ記憶部１９から読み出した文字データに加工処理を施して合成処理部１７３に出力してステップＳ３３に進む。
【００７１】
ステップＳ３３において、合成処理部１７３は、ステップＳ３３で加工処理された文字データと、画像入力部１７１から供給された文字データとを合成して、合成した画像データを出力制御部２０に供給する。
【００７２】
ステップＳ３４において、出力制御部２０は、合成処理部１７３から供給された画像データをモニタ１３に表示出力する。ここで、出力制御部２０は、モニタ１３の解像度に合わせて画像データから画素を間引く縮小処理を施すが、上述したように文字出力加工部１７２により文字データの字体が比較的太くなるように加工処理がなされているため、図１２に示すように、文字が掠れるようなことがなく、ユーザにとって視覚的に見やすい画像表示となるように画像データをモニタ１３に表示することができる。
【００７３】
また、ステップＳ３５において、文字出力加工部１７２は、映像出力端子１５の表示用フォントデータによる加工処理を文字データに施して合成処理部１７３に出力する。
【００７４】
具体的に、映像出力端子１５の表示解像度がモニタ１３から出力される表示解像度よりも非常に高いので、文字出力加工部１７２は、出力先で表示される画像の解像度に応じた比較的細い字体のフォントデータを用いてデータ記憶部１９から読み出した文字データに加工処理を施して合成処理部１７３に出力してステップＳ３６に進む。
【００７５】
ステップＳ３６において、合成処理部１７３は、ステップＳ３５で加工処理された文字データと、画像入力部１７１から供給された文字データとを合成して、合成した画像データを出力制御部２０に供給する。
【００７６】
ステップＳ３７において、出力制御部２０は、合成処理部１７３から供給された画像データを映像出力端子１５からディスプレイ１００などに表示出力する。ここで、出力制御部２０は、映像出力端子１５から出力されるＨＤ規格のきめ細かい表示画像に合わせて文字データの字体を細くすることにより、図１３に示すように、ユーザにとって視覚的に見やすい画像表示となるように、画像データをディスプレイ１００に表示することができる。
【００７７】
このようにして、印刷装置１では、出力される出力先で表示される画像の解像度に応じて、ステップＳ３２、及びステップＳ３５により文字データの字体を加工して、字体を加工した文字データと画像データとを合成して出力先に出力するので、表示出力先の解像度に応じて文字情報を視覚的に見やすい字体で文字情報を表示させることができる。
【００７８】
なお、本発明は、以上の実施形態のみに限定されるものではなく、例えば撮像画像を確認可能なディスプレイを備えるデジタルスチルカメラなどの表示手段を内蔵するとともに、画像データを外部へ出力する出力端子が設けられた電子機器に適用するようにしてもよい。
【図面の簡単な説明】
【００７９】
【図１】本発明が適用された印刷装置の外観を示した図である。
【図２】本発明が適用された印刷装置の内部構成を示したブロック図である。
【図３】お勧め印刷モードを実行する印刷装置の処理内容を説明するために供するフローチャートである。
【図４】お勧め印刷モードによる編集処理が施された編集画像の一例を示した図である。
【図５】お勧め印刷モードによる編集処理が施された編集画像の一例を示した図である。
【図６】お勧め印刷モードによる編集処理が施された編集画像の一例を示した図である。
【図７】お勧め印刷モードによる編集処理が施された編集画像の一例を示した図である。
【図８】お勧め印刷モードを実行する印刷装置の処理内容を説明するために供するフローチャートである。
【図９】印刷装置と、印刷装置に接続されたディスプレイとを示した図である。
【図１０】画像処理部の内部構成を示した図である。
【図１１】表示先の表示手段の解像度に応じた加工処理を説明するために供するフローチャートである。
【図１２】モニタに出力される操作用画面を示した図である。
【図１３】映像出力端子から出力される操作用画面を示した図である。
【符号の説明】
【００８０】
１  印刷装置、２  印画紙トレイ、３  インクリボンカートリッジ、４  印画紙、１０  装置本体、１０ａ  前面、１０ｂ  上面、１０ｃ  側面、１１  開口部、１２  操作入力部、１２ａ、１２ｂ  操作ボタン、１３  モニタ、１４  外部Ｉ／Ｆ、１４ａ  記録メディア用スロット、１４ｂ、１４ｃ  入出力端子、１５  映像出力端子、１６  制御部、１７  画像処理部、１７１  画像入力部、１７２  文字出力加工部、１７３  合成処理部、１７４  出力判定部、１８  画像記憶部、１９  データ記憶部、２０  出力制御部、２１  印刷処理部、２１１  サーマルヘッド、２１２  プラテンローラ、３１  インクリボン、１００  ディスプレイ、２００  ケーブル
【図１】
0004471000.tif 000002
【図２】
0004471000.tif 000003
【図３】
0004471000.tif 000004
【図４】
0004471000.tif 000005
【図５】
0004471000.tif 000006
【図６】
0004471000.tif 000007
【図７】
0004471000.tif 000008
【図８】
0004471000.tif 000009
【図９】
0004471000.tif 000010
【図１０】
0004471000.tif 000011
【図１１】
0004471000.tif 000012
【図１２】
0004471000.tif 000013
【図１３】
0004471000.tif 000014